(57)【要約】【課題】ガスケットに対して剛性を付与することにより、フラップ式流量計における負圧の影響による作動不良を無くすと共に、１日に１回以上の分解修理の実施を不要とすることのできる、フラップ式流量計の負圧防止構造を提供する。【解決手段】本発明は、配管の途中に設置されたケーシング１１内で揺動可能で、水の圧力により傾倒することで流量を計測する流量計用フラップ１３を備え、流量計用フラップ１３を収容するケーシング１１の背面開口部１１Ａを、ガスケット１４を介して背面部フランジ１５により水密状に閉塞・固定して成るフラップ式流量計１の負圧防止構造であって、前記ガスケット１４に対し、剛性を付与したものである。【選択図】図２
2006267074.tif 000002
【特許請求の範囲】
【請求項１】
配管の途中に設置されたケーシング内で揺動可能で、水の圧力により傾倒することで流量を計測する流量計用フラップを備え、流量計用フラップを収容するケーシングの背面開口部を、ガスケットを介して背面部フランジにより水密状に閉塞・固定して成るフラップ式流量計の負圧防止構造であって、前記ガスケットに対し、剛性を付与したことを特徴とするフラップ式流量計の負圧防止構造。
【請求項２】
ガスケットに対する剛性の付与は、ガスケット自体を、厚型タイプに形成したことによる請求項１に記載のフラップ式流量計の負圧防止構造。
【請求項３】
ガスケットに対する剛性の付与は、ガスケット自体の表面に、補強用シート部材を貼着したことによる請求項１に記載のフラップ式流量計の負圧防止構造。
【請求項４】
ガスケットに対する剛性の付与は、ガスケット自体を、高硬度を有する非晶質性のプラスチック材料により形成したことによる請求項１に記載のフラップ式流量計の負圧防止構造。
【発明の詳細な説明】
【技術分野】
【０００１】
本発明は、海水系統の配管に設置される、フラップ式流量計の負圧防止構造に関するものである。
【背景技術】
【０００２】
従来においては、海水系統の配管Ｒに設置されるフラップ式流量計１は、図３に示すように、先端にメーター用指針１２Ａを備えた揺動回転軸１２の長手方向に沿って流量計用フラップ１３の一端を固着し、海水が流通している配管Ｒの途中に設置されたケーシング１１内に、背面開口部１１Ａ側からこれらの流量計用フラップ１３を収容し、当該背面開口部１１Ａを、例えば、可撓性を有する塩化ビニル樹脂（ＰＶＣ）製またはテフロン（登録商標）シート製等の薄型タイプのガスケット１４を介して、背面部フランジ１５により水密状に閉塞・固定して成るものが存在した。
【０００３】
この流量計用フラップ１３における揺動回転軸１２自体は、指示計駆動機構部１６によってトルク規制されており、流量計用フラップ１３に作用する水の圧力、すなわち、海水の流量に比例して流量計用フラップ１３が傾倒するものである。
【０００４】
フラップ式流量計１の使用に際しては、配管Ｒの内部を流れる海水による、ケーシング１１内の流量計用フラップ１３に衝突する圧力により、当該流量計用フラップ１３が揺動回転軸１２を中心にして若干傾倒する方向に回動し、これに伴って回動するメーター用指針１２Ａの示す目盛りの値に基づいて、配管Ｒの内部を流れる流量を計測するものである。
【特許文献１】特になし
【発明の開示】
【発明が解決しようとする課題】
【０００５】
しかしながら、海水系統の配管Ｒに設置されるフラップ式流量計１において、流量計内の圧力は、海水の干潮・満潮の影響を受けて負圧の状態になることがある。このとき、ケーシング１１の背面開口部１１Ａ側に配置されている可撓性を有する薄型タイプのガスケット１４が、流量計用フラップ１３側に突出するように変形して流量計用フラップ１３と接触するため、フラップ式流量計に作動不良が生じていた。
【０００６】
そのため、フラップ式流量計に対して、１日に１回以上の分解修理を実施して対処しなければならなかった。
【０００７】
このような弊害は、従来のフラップ式流量計において、ガスケット１４は、流量計内を流れる液体の漏れを防止することのみを目的としており、そのガスケット１４に剛性を付与するという発想が全く存在しなかったことに起因するものである。
【０００８】
そこで、本発明は如上のような従来存した諸事情に鑑み創出されたもので、ガスケットに対して剛性を付与することにより、フラップ式流量計における負圧の影響による作動不良を無くすと共に、１日に１回以上の分解修理の実施を不要とすることのできる、フラップ式流量計の負圧防止構造を提供することを目的とする。
【課題を解決するための手段】
【０００９】
本発明は、配管の途中に設置されたケーシング内で揺動可能で、水の圧力により傾倒することで流量を計測する流量計用フラップを備え、流量計用フラップを収容するケーシングの背面開口部を、ガスケットを介して背面部フランジにより水密状に閉塞・固定して成るフラップ式流量計の負圧防止構造であって、前記ガスケットに対し、剛性を付与したことにより、上述した課題を解決した。
【００１０】
また、ガスケットに対する剛性の付与は、ガスケット自体を、厚型タイプに形成したことで、同じく上述した課題を解決した。
【００１１】
さらに、ガスケットに対する剛性の付与は、ガスケット自体の表面に、補強用シート部材を貼着したことで、同じく上述した課題を解決した。
【００１２】
また、ガスケットに対する剛性の付与は、ガスケット自体を、高硬度を有する非晶質性のプラスチック材料により形成したことで、同じく上述した課題を解決した。
【発明の効果】
【００１３】
本発明によれば、ガスケットに対して剛性を付与することにより、フラップ式流量計における負圧の影響による作動不良を無くすと共に、１日に１回以上の分解修理の実施を不要とすることができる。
【００１４】
これは本発明が、配管の途中に設置されたケーシング内で揺動可能で、水の圧力により傾倒することで流量を計測する流量計用フラップを備え、流量計用フラップを収容するケーシングの背面開口部を、ガスケットを介して背面部フランジにより水密状に閉塞・固定して成るフラップ式流量計の負圧防止構造であって、前記ガスケットに対し、剛性を付与したことによりもたらされる効果である。
【００１５】
すなわち、フラップ式流量計は、配管の内部を流れる海水による、ケーシング内の流量計用フラップに衝突する圧力により、当該流量計用フラップが傾倒する方向に回動し、これに伴って回動するメーター用指針１２Ａの示す目盛りの値に基づいて、配管の内部を流れる流量を計測する。
【００１６】
このとき、剛性を付与されたガスケットは、海水の干潮・満潮の影響を受けてケーシング内が負圧の状態になっても、流量計用フラップ側に突出するように変形することが無く、ガスケットが流量計用フラップに接触しないため、フラップ式流量計に作動不良が生じる事態を回避している。
【００１７】
その結果、従来において１日に１回以上の分解修理を行ってフラップ式流量計の復旧を行っていたが、本発明によるガスケットの改良により、このような修理作業・復旧作業を行う必要が無くなった。
【００１８】
また、ガスケットに対する剛性の付与は、ガスケット自体を、厚型タイプに形成したことによるので、フラップ式流量計における負圧の影響を原因とする作動不良の防止対策を、低コストで簡単に行うことができる。
【００１９】
さらに、ガスケットに対する剛性の付与は、ガスケット自体の表面に、補強用シート部材を貼着したことによるので、薄型のガスケットであっても、補強用シート部材を貼着するだけで、フラップ式流量計における負圧の影響を原因とする作動不良の防止対策を、低コストで簡単に行うことができる。
【００２０】
また、ガスケットに対する剛性の付与は、ガスケット自体を、高硬度を有する非晶質性のプラスチック材料により形成したことによるので、薄型のガスケットであっても、それ自体で充分な硬度が得られるため、ケーシング内が負圧の状態になっても、流量計用フラップ側に突出するように変形することが無く、ガスケットが流量計用フラップに接触しないため、フラップ式流量計に作動不良が生じる事態を回避できる。
【発明を実施するための最良の形態】
【００２１】
以下に、本発明を実施するための最良の形態を、図面を参照して説明する。
【００２２】
本発明は、海水系統の配管Ｒに設置される、フラップ式流量計１の負圧防止構造に関するものである。
【００２３】
このフラップ式流量計１は、図１・図２に示すように、先端にメーター用指針１２Ａを備えた揺動回転軸１２の長手方向に沿って流量計用フラップ１３の一端を固着し、海水が流通している配管Ｒの途中に設置されたケーシング１１内に、背面開口部１１Ａ側からこれらの流量計用フラップ１３を収容し、当該背面開口部１１Ａを、厚型タイプに形成した剛性を有するガスケット１４を介して、背面部フランジ１５により水密状に閉塞・固定することにより構成されている。
【００２４】
この流量計用フラップ１３自体は、配管Ｒにおける海水の流路方向に対面するように垂直状に起立した状態で揺動回転軸１２に固着されている。また、揺動回転軸１２自体は、指示計駆動機構部１６によってトルク規制されており、流量計用フラップ１３に作用する水圧力、すなわち、海水の流量に比例して流量計用フラップ１３が傾倒し、メーター用指針１２Ａが目盛りの値を指示するものである。
【００２５】
このガスケット１４に対して剛性を付与する他の措置として、例えば、ガスケット１４自体の表面に、補強用シート部材を貼着しても良い。
【００２６】
また、ガスケット１４自体を、高硬度を有する非晶質性のプラスチック材質であり、例えば、高硬度に成形された塩化ビニル樹脂（ＰＶＣ）等によって形成しても良い。
【００２７】
次に、以上のように構成された本発明の最良の形態について、使用・動作の一例を説明する。
【００２８】
まず、図１・図２に示すように、配管Ｒ内に海水が流れると、フラップ式流量計１のケーシング１１内において、流量計用フラップ１３に海水が衝突する。そして、海水の圧力により、当該流量計用フラップ１３が、指示計駆動機構部１６によってトルク規制された状態で揺動回転軸１２を中心にして若干傾倒する方向に回動し、これに伴って回動するメーター用指針１２Ａの示す目盛りの値に基づいて、配管Ｒの内部を流れる流量が計測される。
【００２９】
このとき、剛性を有するガスケット１４は、海水の干潮・満潮の影響を受けてケーシング１１内が負圧の状態になっても、流量計用フラップ１３側に突出するように変形する（図３参照）ことが無く、ガスケット１４が流量計用フラップ１３に接触しないため（図２参照）、フラップ式流量計１に作動不良が生じる事態を回避している。
【産業上の利用可能性】
【００３０】
本発明は、ガスケットに対して剛性を付与することにより、フラップ式流量計における負圧の影響による作動不良を無くすと共に、１日に１回以上の分解修理の実施を不要とすることのできる、フラップ式流量計の負圧防止構造として、海水系統の配管に広く利用されるものである。
【００３１】
尚、本発明の利用は、海水系統に限るものでは無く、配管の内部が負圧になる系統において、広く利用が可能である。
【図面の簡単な説明】
【００３２】
【図１】配管に設置したフラップ式流量計の全体構成を示した斜視図である。
【図２】フラップ式流量計の内部構成を示した縦断面図である。
【図３】従来のフラップ式流量計において、ガスケットが変形した状態を示した縦断面図である。
【符号の説明】
【００３３】
Ｒ…配管
１…フラップ式流量計
１１…ケーシング
１１Ａ…背面開口部
１２…揺動回転軸
１２Ａ…メーター用指針
１３…流量計用フラップ
１４…ガスケット
１５…背面部フランジ
１６…指示計駆動機構部
【図１】
2006267074.tif 000003
【図２】
2006267074.tif 000004
【図３】
2006267074.tif 000005